(57)【要約】【課題】河川の法面や道路、造成地などに積み上げて擁壁を施工するためのコンクリート製の擁壁用ブロックにおいて、施工後の安全性も含めて強固な擁壁を施工し、工期のバラツキの発生を抑制する。【解決手段】コンクリートからなる直方体状のブロック本体２の背面に、コンクリートからなる固定フック６を一体に形成する。この固定フック６は、係止板６ａと、この係止板６ａをブロック本体２に連結する脚部６ｂとから構成される。ここで、固定フック６の脚部６ｂの断面積を係止板６ａの面積より小さくする。これにより、多数個の擁壁用ブロック１を積み上げたとき、各擁壁用ブロック１の固定フック６の脚部６ｂの周囲に空隙ができ、これら空隙が四方八方につながってコンクリート充填空間が格子状に形成される。【選択図】　　　図１
2004076295.tif 000002
【特許請求の範囲】
【請求項１】
コンクリートからなる直方体状のブロック本体（２）を有し、
このブロック本体の背面に、コンクリートからなる固定フック（６）を一体に形成した擁壁用ブロック（１）において、
前記固定フックとして、
係止板（６ａ）と、この係止板を前記ブロック本体に連結する脚部（６ｂ）とからなる固定フックを用い、
この固定フックの脚部の断面積を係止板の面積より小さくしたことを特徴とする擁壁用ブロック。
【請求項２】
前記ブロック本体（２）に空胴部（３）を上下に貫通させて形成し、
前記ブロック本体の前面に内外連通孔（１０）を前記空胴部に連通させて形成したことを特徴とする請求項１に記載の擁壁用ブロック。
【請求項３】
請求項１に記載の擁壁用ブロック（１）を用いて擁壁（１１）を施工する際に、
複数個の擁壁用ブロックを組積して所定段数のブロック列（Ｒ１〜Ｒ６）を構築し、
その後、これら擁壁用ブロックの固定フック（６）の周囲に胴込めコンクリート（１７）を充填して硬化させるようにしたことを特徴とする擁壁施工方法。
【請求項４】
請求項２に記載の擁壁用ブロック（１）を用いて擁壁（１１）を施工する際に、
複数個の擁壁用ブロックを組積して所定段数のブロック列（Ｒ１〜Ｒ６）を構築し、
その後、これら擁壁用ブロックの固定フック（６）の周囲に胴込めコンクリート（１７）を充填して硬化させるとともに、
これら擁壁用ブロックの空胴部（３）に植栽土（１９）を入れるようにしたことを特徴とする擁壁施工方法。
【請求項５】
請求項１または請求項２に記載の擁壁用ブロック（１）をコンクリート充填空間（１８）が格子状に形成されるように複数個組み合わせてユニット化したブロックユニット（２０）を工場で必要個数だけ作製し、
各ブロックユニットのコンクリート充填空間に胴込めコンクリート（１７）を工場で充填して硬化させ、
その後、これらブロックユニットを現場に搬入して接合するようにしたことを特徴とする擁壁施工方法。
【発明の詳細な説明】
【０００１】
【発明の属する技術分野】
本発明は、河川の法面や道路、造成地などに積み上げて擁壁を施工するためのコンクリート製の擁壁用ブロックと、この擁壁用ブロックを用いた擁壁施工方法に関するものである。
【０００２】
【従来の技術】
この種の擁壁においては、十分な土留め機能を発揮しうるように、河川の法面などに対して強固に固定することが重要である。
【０００３】
そのため、例えば特開平１１−３１０９１３号公報に開示されているように、自然石に棒状部材と座金を取り付けた施工石を複数個用意し、これら施工石を河川の法面などに積み上げた後、これら施工石の棒状部材および座金を土砂で埋設することにより、この土砂との摩擦力で各施工石を固定するという手法が提案されている。
【０００４】
【発明が解決しようとする課題】
しかし、この手法では次のような不都合があった。
【０００５】
第１に、施工石を固定している土砂には流動性があるため、あまり強固な擁壁を施工することができないばかりか、地震や台風などの発生に伴って施工石が崩壊する恐れがあり、施工後の擁壁の安全性にも問題がある。
【０００６】
第２に、施工石の積み上げ作業とそれ以降の作業がすべて現場で行われることになるので、擁壁の工期が現場の状況（天候など）や現場作業者の技量に左右されやすく、工期のバラツキを惹起する危険性が高い。
【０００７】
本発明は、このような事情に鑑み、強固な擁壁を施工することができるとともに、施工後の安全性に問題がなく、しかも工期のバラツキの発生を抑制することが可能な擁壁用ブロックおよび擁壁施工方法を提供することを目的とする。
【０００８】
【課題を解決するための手段】
すなわち、本発明のうち擁壁用ブロックの発明は、コンクリートからなる直方体状のブロック本体（２）を有し、このブロック本体の背面に、コンクリートからなる固定フック（６）を一体に形成した擁壁用ブロック（１）において、前記固定フックとして、係止板（６ａ）と、この係止板を前記ブロック本体に連結する脚部（６ｂ）とからなる固定フックを用い、この固定フックの脚部の断面積を係止板の面積より小さくして構成される。ここで、固定フックの脚部は１本に限られず、２本以上の脚部を採用しても構わない。固定フックの脚部が２本以上ある場合は、これら脚部の総断面積が係止板の面積より小さくなるようにすればよい。
【０００９】
こうした構成を採用することにより、多数個の擁壁用ブロックを積み上げたとき、各擁壁用ブロックの固定フックの脚部の周囲（上下左右）に空隙ができ、これら空隙が四方八方につながってコンクリート充填空間が格子状に形成されるように作用する。
【００１０】
また、前記ブロック本体（２）に空胴部（３）を上下に貫通させて形成し、前記ブロック本体の前面に内外連通孔（１０）を前記空胴部に連通させて形成して構成される。
【００１１】
かかる構成により、空胴部をそのまま魚礁として利用できるようになるとともに、空胴部に植栽土を入れ、草木を植えることが可能となるように作用する。
【００１２】
一方、本発明のうち擁壁施工方法は、上記擁壁用ブロック（１）を用いて擁壁（１１）を施工する際に、複数個の擁壁用ブロックを組積して所定段数のブロック列（Ｒ１〜Ｒ６）を構築し、その後、これら擁壁用ブロックの固定フック（６）の周囲に胴込めコンクリート（１７）を充填して硬化させるようにして構成される。
【００１３】
かかる構成により、すべての擁壁用ブロックが同種材料の胴込めコンクリートで緊結固定されるように作用する。
【００１４】
また、上記擁壁用ブロック（１）を用いて擁壁（１１）を施工する際に、複数個の擁壁用ブロックを組積して所定段数のブロック列（Ｒ１〜Ｒ６）を構築し、その後、これら擁壁用ブロックの固定フック（６）の周囲に胴込めコンクリート（１７）を充填して硬化させるとともに、これら擁壁用ブロックの空胴部（３）に植栽土（１９）を入れるようにして構成される。
【００１５】
かかる構成により、すべての擁壁用ブロックが同種材料の胴込めコンクリートで緊結固定されるとともに、空胴部の植栽土に草木を植えることが可能となるように作用する。
【００１６】
さらに、上記擁壁用ブロック（１）をコンクリート充填空間（１８）が格子状に形成されるように複数個組み合わせてユニット化したブロックユニット（２０）を工場で必要個数だけ作製し、各ブロックユニットのコンクリート充填空間に胴込めコンクリート（１７）を工場で充填して硬化させ、その後、これらブロックユニットを現場に搬入して接合するようにして構成される。
【００１７】
かかる構成により、工場での作業が主体となるため、ブロックユニットの品質が向上し、かつ現場での作業効率がよくなるように作用する。
【００１８】
なお、括弧内の符号は図面において対応する要素を表す便宜的なものであり、したがって、本発明は図面上の記載に限定拘束されるものではない。このことは「特許請求の範囲」の欄についても同様である。
【００１９】
【発明の実施の形態】
以下、本発明の実施形態を図面に基づいて説明する。
【００２０】
＜第１の実施形態＞
図１は本発明に係る擁壁用ブロックの一実施形態を示す図であり、（ａ）はその平面図、（ｂ）はその右側面図、（ｃ）はその正面図、
図２は図１に示す擁壁用ブロックを平積みして擁壁を施工した状態を示す図であり、（ａ）はその正面図、（ｂ）は（ａ）のＢ−Ｂ線による断面図、（ｃ）は（ｂ）のＣ部分の拡大詳細図、（ｄ）は（ａ）のＤ−Ｄ線による拡大断面図、
図３は図１に示す擁壁用ブロックを谷積みして擁壁を施工した状態の正面図である。
【００２１】
この擁壁用ブロック１は、図１に示すように、コンクリートからなる直方体状のブロック本体２を有しており、ブロック本体２の背面にはコンクリートからなる固定フック６が一体に形成されている。この固定フック６は、ブロック本体２と同程度の面積を有する係止板６ａと、この係止板６ａをブロック本体２に連結する２本の脚部６ｂとから構成されており、図１（ａ）、（ｂ）に示すように、これら脚部６ｂの総断面積は係止板６ａの面積より小さくなっている。
【００２２】
また、図１（ａ）に示すように、ブロック本体２の中央には空胴部３が上下に貫通して形成されており、ブロック本体２の左右両側にはそれぞれ溝部４、５が上下に貫通して形成されている。さらに、ブロック本体２の前面には、図１（ｃ）に示すように、その上部中央に半円状の切欠部７が空胴部３に連通して形成されているとともに、その下部左右両端に１／４円状の切欠部８、９がそれぞれ溝部４、５に連通して形成されている。ここで、３個の切欠部７、８、９はすべて同一の曲率を有する円弧状となっている。なお、ブロック本体２の上面および下面にはそれぞれ係合凸部２ａおよび係合凹部２ｂが形成されている。
【００２３】
擁壁用ブロック１は以上のような構成を有するので、多数個の擁壁用ブロック１を河川の法面に平積みして擁壁１１を施工する際には、図２（ａ）、（ｂ）に示すように、河川の両側に基礎材１２を敷設した後、この基礎材１２の上側に基礎コンクリート１３を打設して養生する。そして、この基礎コンクリート１３が硬化したところで、所要個数の擁壁用ブロック１を現場（河川の法面の近く）に搬入し、以下に述べる手順に従い、これら擁壁用ブロック１を基礎コンクリート１３の上側に平積みで６段に積み上げる。
【００２４】
まず、基礎コンクリート１３上に、複数個の擁壁用ブロック１を水平方向に組積して１段目（最下段）のブロック列Ｒ１を構築する。すると、図２（ｄ）に示すように、互いに左右に隣接する擁壁用ブロック１の溝部４、５が対向して当接し、これら溝部４、５によって空胴１５が上下に貫通する形で形成される。
【００２５】
次に、１段目のブロック列Ｒ１の上側に、複数個の擁壁用ブロック１を当該擁壁用ブロック１の幅の半分だけ水平方向にずらして水平方向に組積することにより、２段目のブロック列Ｒ２を構築する。すると、この２段目のブロック列Ｒ２においても、互いに隣接する擁壁用ブロック１の溝部４、５が対向して当接し、これら溝部４、５によって空胴１５が上下に貫通する形で形成される。この際、２段目のブロック列Ｒ２は１段目のブロック列Ｒ１に対して擁壁用ブロック１の幅の半分だけ水平方向にずれているので、１段目のブロック列Ｒ１の各空胴１５の上側に２段目のブロック列Ｒ２の各擁壁用ブロック１の空胴部３が位置決めされると同時に、１段目のブロック列Ｒ１の各擁壁用ブロック１の空胴部３の上側に２段目のブロック列Ｒ２の各空胴１５が位置決めされた状態となる。
【００２６】
なお、図２（ｂ）に示すように、２段目のブロック列Ｒ２は１段目のブロック列Ｒ１上に傾斜して載置されることになるが、図２（ｃ）に示すように、２段目のブロック列Ｒ２にある擁壁用ブロック１のブロック本体２の係合凹部２ｂが１段目のブロック列Ｒ１にある擁壁用ブロック１のブロック本体２の係合凸部２ａに係合するので、２段目のブロック列Ｒ２が自重で後方へ滑り落ちる恐れはない。このことは、後述する３〜６段目のブロック列Ｒ３〜Ｒ６についても同様である。
【００２７】
次いで、２段目のブロック列Ｒ２の上側に、複数個の擁壁用ブロック１を当該擁壁用ブロック１の幅の半分だけ水平方向にずらして水平方向に組積することにより、３段目のブロック列Ｒ３を構築する。すると、この３段目のブロック列Ｒ３においても、互いに隣接する擁壁用ブロック１の溝部４、５が対向して当接し、これら溝部４、５によって空胴１５が上下に貫通する形で形成される。この際、３段目のブロック列Ｒ３は２段目のブロック列Ｒ２に対して擁壁用ブロック１の幅の半分だけ水平方向にずれているので、２段目のブロック列Ｒ２の各空胴１５の上側に３段目のブロック列Ｒ３の各擁壁用ブロック１の空胴部３が位置決めされると同時に、２段目のブロック列Ｒ２の各擁壁用ブロック１の空胴部３の上側に３段目のブロック列Ｒ３の各空胴１５が位置決めされた状態となる。また、１段目から３段目までのブロック列Ｒ１〜Ｒ３にあるすべての擁壁用ブロック１の固定フック６が集まって、図２（ｄ）に示すように、それらの脚部６ｂの周囲にコンクリート充填空間１８が格子状に形成される。
【００２８】
こうして１段目から３段目までのブロック列Ｒ１〜Ｒ３が構築されたところで、これらブロック列Ｒ１〜Ｒ３が後方へ倒壊しないように固定するため、図２（ｂ）に示すように、河川の法面とブロック列Ｒ１〜Ｒ３との間に砂利や割栗石などの裏込め材１６を充填した後、コンクリート充填空間１８に胴込めコンクリート１７を打設して養生する。すると、各擁壁用ブロック１の固定フック６の脚部６ｂの周囲に胴込めコンクリート１７が充填された状態で硬化し、すべての擁壁用ブロック１は、当該擁壁用ブロック１と同種の材料である胴込めコンクリート１７によって互いに強固に緊結されて河川の法面に固定される。
【００２９】
その後、３段目のブロック列Ｒ３の上側に、複数個の擁壁用ブロック１を当該擁壁用ブロック１の幅の半分だけ水平方向にずらして水平方向に組積することにより、４段目のブロック列Ｒ４を構築する。すると、この４段目のブロック列Ｒ４においても、互いに隣接する擁壁用ブロック１の溝部４、５が対向して当接し、これら溝部４、５によって空胴１５が上下に貫通する形で形成される。この際、４段目のブロック列Ｒ４は３段目のブロック列Ｒ３に対して擁壁用ブロック１の幅の半分だけ水平方向にずれているので、３段目のブロック列Ｒ３の各空胴１５の上側に４段目のブロック列Ｒ４の各擁壁用ブロック１の空胴部３が位置決めされると同時に、３段目のブロック列Ｒ３の各擁壁用ブロック１の空胴部３の上側に４段目のブロック列Ｒ４の各空胴１５が位置決めされた状態となる。
【００３０】
次に、４段目のブロック列Ｒ４の上側に、複数個の擁壁用ブロック１を当該擁壁用ブロック１の幅の半分だけ水平方向にずらして水平方向に組積することにより、５段目のブロック列Ｒ５を構築する。すると、この５段目のブロック列Ｒ５においても、互いに隣接する擁壁用ブロック１の溝部４、５が対向して当接し、これら溝部４、５によって空胴１５が上下に貫通する形で形成される。この際、５段目のブロック列Ｒ５は４段目のブロック列Ｒ４に対して擁壁用ブロック１の幅の半分だけ水平方向にずれているので、４段目のブロック列Ｒ４の各空胴１５の上側に５段目のブロック列Ｒ５の各擁壁用ブロック１の空胴部３が位置決めされると同時に、４段目のブロック列Ｒ４の各擁壁用ブロック１の空胴部３の上側に５段目のブロック列Ｒ５の各空胴１５が位置決めされた状態となる。
【００３１】
最後に、５段目のブロック列Ｒ５の上側に、複数個の擁壁用ブロック１を当該擁壁用ブロック１の幅の半分だけ水平方向にずらして水平方向に組積することにより、６段目（最上段）のブロック列Ｒ６を構築する。すると、この６段目のブロック列Ｒ６においても、互いに隣接する擁壁用ブロック１の溝部４、５が対向して当接し、これら溝部４、５によって空胴１５が上下に貫通する形で形成される。この際、６段目のブロック列Ｒ６は５段目のブロック列Ｒ５に対して擁壁用ブロック１の幅の半分だけ水平方向にずれているので、５段目のブロック列Ｒ５の各空胴１５の上側に６段目のブロック列Ｒ６の各擁壁用ブロック１の空胴部３が位置決めされると同時に、５段目のブロック列Ｒ５の各擁壁用ブロック１の空胴部３の上側に６段目のブロック列Ｒ６の各空胴１５が位置決めされた状態となる。また、４段目から６段目までのブロック列Ｒ４〜Ｒ６にあるすべての擁壁用ブロック１の固定フック６が集まって、それらの脚部６ｂの周囲にコンクリート充填空間１８が格子状に形成される。
【００３２】
こうして、さらに４段目から６段目までのブロック列Ｒ４〜Ｒ６が構築されたところで、これらブロック列Ｒ４〜Ｒ６が後方へ倒壊しないように固定するため、河川の法面とブロック列Ｒ４〜Ｒ６との間に裏込め材１６を充填した後、コンクリート充填空間１８に胴込めコンクリート１７を打設して養生する。すると、各擁壁用ブロック１の固定フック６の脚部６ｂの周囲に胴込めコンクリート１７が充填された状態で硬化し、すべての擁壁用ブロック１は、当該擁壁用ブロック１と同種の材料である胴込めコンクリート１７によって互いに強固に緊結されて河川の法面に固定される。
【００３３】
こうして、最下段から最上段までのすべてのブロック列Ｒ１〜Ｒ６の擁壁用ブロック１が河川の法面に固定されたところで、これら擁壁用ブロック１によって擁壁１１が施工された状態となる。このとき、任意の上下二段のブロック列Ｒ１〜Ｒ６において、下段のブロック列の各空胴１５の上側に上段のブロック列の各擁壁用ブロック１の空胴部３が位置決めされると同時に、下段のブロック列の各擁壁用ブロック１の空胴部３の上側に上段のブロック列の各空胴１５が位置決めされた状態となる。そのため、図２（ａ）に示すように、最上段（６段目）のブロック列Ｒ６から最下段（１段目）のブロック列Ｒ１まで空胴１５と空胴部３とが交互に上下方向に連通することになる。また、図２に示すように、互いに上下左右に隣接する擁壁用ブロックの切欠部７、８、９が協働して円形の内外連通孔１０を形成し、この内外連通孔１０を通じて擁壁用ブロック１の空胴部３または空胴１５と前方空間Ｓとが連通する。
【００３４】
そして、この擁壁１１をこのまま利用すれば、水面下においては河川の水が内外連通孔１０を通って擁壁用ブロック１の空胴部３および空胴１５に流れ込み、魚などの水棲動物が擁壁用ブロック１の一部（水面下の部分）を魚礁として利用できるようになるので、水棲動物にとって生息しやすい河川となり、擁壁用ブロック１の環境保全性が向上する。
【００３５】
また、河川の法面を緑化する場合には、最上段のブロック列Ｒ６にある各擁壁用ブロック１の空胴部３および各空胴１５に植栽土１９を投入する。すると、上述したとおり、最上段のブロック列Ｒ６から最下段のブロック列Ｒ１まで空胴１５と空胴部３とが交互に上下方向に連通しているので、この植栽土１９は順にブロック列Ｒ５、Ｒ４、Ｒ３、Ｒ２の擁壁用ブロック１の空胴部３または空胴１５を通って最下段のブロック列Ｒ１に達し、その上に次々と溜まっていく。その結果、図２（ｂ）、（ｃ）に示すように、すべての擁壁用ブロック１の空胴部３および空胴１５に植栽土１９が充填され、さらに、すべての内外連通孔１０から植栽土１９が河川側に現れるため、そこに草木を植えて緑化することが可能となる。
【００３６】
ところで、擁壁用ブロック１の積み方については、上述した平積み以外に谷積みも可能である。この谷積みを採用する場合は、図３に示すように、各擁壁用ブロック１を４５°傾けつつ組積していく。このときも、すべての擁壁用ブロック１の固定フック６の脚部６ｂの周囲にコンクリート充填空間１８が格子状に形成されるので、すべての擁壁用ブロック１は胴込めコンクリート１７によって互いに強固に緊結される。また、最上段から最下段まで空胴１５と空胴部３とが交互に上下方向に連通して稲妻形の経路が確保されるので、平積みの場合と同じく植栽土１９の投入を円滑に実施することができる。
【００３７】
なお、上述した第１の実施形態では、ブロック本体２の前面に円弧状（半円状、１／４円状）の切欠部７、８、９を設けることにより、積み上げたときに円形の内外連通孔１０が形成されるようにした場合について説明した。しかし、これら切欠部７、８、９の形状については円弧状に限るわけではなく、例えば、矩形状の切欠部７、８、９を採用して長方形の内外連通孔１０を形成することもできる。もちろん、擁壁用ブロック１の環境保全性を高める必要がない場合には、切欠部７、８、９を省略して擁壁用ブロック１の製造コストを下げることも可能である。
【００３８】
また、上述した第１の実施形態では、擁壁用ブロック１を平積みで６段に積み上げて擁壁１１を施工する場合について説明したが、この擁壁用ブロック１の段数は６段に限られないことは言及するまでもない。
【００３９】
さらに、上述した第１の実施形態では、所定個数の擁壁用ブロック１を現場（河川の法面の近く）に搬入した後、これら擁壁用ブロック１を現場で組積して擁壁１１を施工する場合について説明したが、この擁壁用ブロック１を何個か組み合わせた形状のブロックユニットを工場で予め作製し、このブロックユニットを現場に搬入して接合することにより、擁壁１１を施工することも可能である。以下、第２の実施形態として、このブロックユニットを用いた擁壁施工方法について説明する。
【００４０】
＜第２の実施形態＞
図４は図１に示す擁壁用ブロックを何個か組み合わせてユニット化したブロックユニットの一例を示す図であり、（ａ）はその正面図、（ｂ）はその平面図、（ｃ）はその左側面図、（ｄ）はその右側面図、（ｅ）は（ａ）のＥ−Ｅ線による断面図、（ｆ）は（ａ）のＦ−Ｆ線による断面図、
図５は図４に示すブロックユニットを平積みして擁壁を施工した状態を示す図であり、（ａ）はその正面図、（ｂ）は（ａ）のＢ−Ｂ線による断面図である。
【００４１】
このブロックユニット２０は、図４に示すように、上述した擁壁用ブロック１を何個か組み合わせた形状を有しており、その上面および左面には係合凸部２１、２２が形成されているとともに、その下面および右面には係合凹部２３、２４が形成されている。また、ブロックユニット２０には、図４（ｂ）、（ｆ）に示すように、複数個の空胴部３および空胴１５が左右に交互に並んで形成されており、これら空胴部３、空胴１５の後方にはコンクリート充填空間１８が格子状に形成されている。さらに、ブロックユニット２０の前面には、図４（ａ）に示すように、複数個の円形の内外連通孔１０が空胴部３または空胴１５に連通して形成されている。そして、図４（ｅ）、（ｆ）に示すように、すべての空胴部３および空胴１５には植栽土１９が投入されているとともに、コンクリート充填空間１８には胴込めコンクリート１７が充填されて硬化した状態となっている。そのため、ブロックユニット２０は胴込めコンクリート１７によって補剛されて高い剛性を発現する。なお、ブロックユニット２０の剛性をさらに向上させるため、コンクリート充填空間１８に鉄筋を縦横２方向に配筋してもよい。
【００４２】
ブロックユニット２０は以上のような構成を有するので、複数枚のブロックユニット２０を河川の法面に平積みして擁壁１１を施工する際には、所要枚数のブロックユニット２０を現場（河川の法面の近く）に搬入した後、図５に示すように、基礎コンクリート１３の上側にブロックユニット２０を３段に積み上げ、各ブロックユニット２０をその係合凸部２１、２２と係合凹部２３、２４とを嵌合して接合する。
【００４３】
この際、各ブロックユニット２０は、すでに述べたとおり、高い剛性を有しているため、ハンドリング性に優れ、その接合作業を短時間で効率よく行うことができる。しかも、すべてのブロックユニット２０は、工場で作製された高品質なものであるので、擁壁の工期が現場の状況や現場作業者の技量に左右される恐れはなく、予定どおりの工期で擁壁１１の施工を完了することが可能となる。
【００４４】
なお、上述した第２の実施形態では、ブロックユニット２０を３段に積み上げて擁壁１１を施工する場合について説明したが、このブロックユニット２０の段数は３段に限られないことは言うまでもない。
【００４５】
また、上述した第１および第２の実施形態においては、擁壁用ブロック１やブロックユニット２０を用いて河川の法面に擁壁１１を施工する場合について説明したが、道路または造成地などに擁壁１１を施工する場合に本発明を適用することも可能である。
【００４６】
【発明の効果】
以上説明したように、請求項１に記載の発明によれば、多数個の擁壁用ブロックを積み上げたとき、各擁壁用ブロックの固定フックの脚部の周囲（上下左右）に空隙ができ、これら空隙が四方八方につながってコンクリート充填空間が格子状に形成されることから、地震や台風などに耐え、施工後の安全性にも問題のない強固な擁壁を施工しうる擁壁用ブロックを提供することができる。
【００４７】
また、請求項２に記載の発明によれば、空胴部をそのまま魚礁として利用できるようになるとともに、空胴部に植栽土を入れ、草木を植えることが可能となることから、上述した作用効果に加えて、水棲動物が生息しやすく、また緑化によって自然景観を維持することが可能な環境適応型の擁壁用ブロックを提供することができる。
【００４８】
一方、請求項３に記載の発明によれば、すべての擁壁用ブロックが同種材料の胴込めコンクリートで緊結固定されるため、地震や台風などに耐え、施工後の安全性にも問題のない強固な擁壁を施工しうる擁壁施工方法を提供することができる。
【００４９】
また、請求項４に記載の発明によれば、すべての擁壁用ブロックが同種材料の胴込めコンクリートで緊結固定されるとともに、空胴部の植栽土に草木を植えることが可能となるため、上述した作用効果に加えて、水棲動物が生息しやすく、また緑化によって自然景観を維持することが可能な環境適応型の擁壁施工方法を提供することができる。
【００５０】
さらに、請求項５に記載の発明によれば、工場での作業が主体となるため、ブロックユニットの品質が向上し、かつ現場での作業効率がよくなることから、上述した作用効果に加えて、工期のバラツキの発生を抑制することが可能な擁壁施工方法を提供することができる。
【図面の簡単な説明】
【図１】本発明に係る擁壁用ブロックの一実施形態を示す図であり、（ａ）はその平面図、（ｂ）はその右側面図、（ｃ）はその正面図である。
【図２】図１に示す擁壁用ブロックを平積みして擁壁を施工した状態を示す図であり、（ａ）はその正面図、（ｂ）は（ａ）のＢ−Ｂ線による断面図、（ｃ）は（ｂ）のＣ部分の拡大詳細図、（ｄ）は（ａ）のＤ−Ｄ線による拡大断面図である。
【図３】図１に示す擁壁用ブロックを谷積みして擁壁を施工した状態の正面図である。
【図４】図１に示す擁壁用ブロックを何個か組み合わせてユニット化したブロックユニットの一例を示す図であり、（ａ）はその正面図、（ｂ）はその平面図、（ｃ）はその左側面図、（ｄ）はその右側面図、（ｅ）は（ａ）のＥ−Ｅ線による断面図、（ｆ）は（ａ）のＦ−Ｆ線による断面図である。
【図５】図４に示すブロックユニットを平積みして擁壁を施工した状態を示す図であり、（ａ）はその正面図、（ｂ）は（ａ）のＢ−Ｂ線による断面図である。
【符号の説明】
１……擁壁用ブロック
２……ブロック本体
３……空胴部
６……固定フック
６ａ……係止板
６ｂ……脚部
１０……内外連通孔
１１……擁壁
１７……胴込めコンクリート
１８……コンクリート充填空間
１９……植栽土
２０……ブロックユニット
Ｒ１〜Ｒ６……ブロック列
【図１】
2004076295.tif 000003
【図２】
2004076295.tif 000004
【図３】
2004076295.tif 000005
【図４】
2004076295.tif 000006
【図５】
2004076295.tif 000007